(57)【要約】【課題】シューの交換を容易にした汚泥掻寄せ機を提供する。【解決手段】汚泥掻寄せ機は、フライト６に取り付けられたシュー１１がガイドレール８に当接しながら、ガイドレール８に沿って沈殿槽２内で移動する複数のフライト６により、沈殿槽２内の汚泥を掻き寄せる汚泥掻寄せ機において、フライト６に対して着脱自在なシュー１１は、フライト６の端部を挟み込むように略平行に延在する一対の側壁２０，２１と側壁２０，２１間を連結する連絡壁２２とで断面Ｕ字状に形成され、シュー１１の各側壁２０，２１に形成された凸部２０ａ，２１ａは、フライト６のガイド溝２４に差し込まれる。【選択図】図３
2008168198.tif 000002
【特許請求の範囲】
【請求項１】
フライトに取り付けられたシューがガイドレールに当接しながら、前記ガイドレールに沿って沈殿槽内で移動する複数の前記フライトにより、前記沈殿槽内の汚泥を掻き寄せる汚泥掻寄せ機において、
前記フライトに対して着脱自在な前記シューは、前記フライトの端部を挟み込むように略平行に延在する一対の側壁と前記側壁間を連結する連絡壁とで断面Ｕ字状に形成され、前記シューの前記各側壁は、前記フライトに対して凹凸嵌合することを特徴とする汚泥掻寄せ機。
【請求項２】
前記シューの前記各側壁の遊端には、内方に向かって突出する凸部が設けられ、前記フライトの側面には、前記フライトの端部から長手方向に沿って延在するガイド溝が設けられていることを特徴とする請求項１記載の汚泥掻寄せ機。
【請求項３】
前記フライトの前記側面に設けられた孔部内に差し込まれる移動規制ピンを更に備え、前記移動規制ピンは、前記シューの端面に当接することを特徴とする請求項１又は２記載の汚泥掻寄せ機。
【発明の詳細な説明】
【技術分野】
【０００１】
本発明は、沈殿槽の底面に沈殿した汚泥を掻き寄せるためのフライトと、フライトをガイドレールに沿って摺動させるためのシューとを備えた汚泥掻寄せ機に関するものである。
【背景技術】
【０００２】
従来、このような分野の技術として、特開２００３−１１７３１０号公報がある。この公報に記載された汚泥掻寄せ機は、無端のチェーンコンベアに等間隔で固定された長尺のフライトを備え、このフライトは、沈殿槽の底面に沈殿した汚泥を掻き寄せ、沈殿槽の水面に浮上した浮遊物を掻き寄せる。さらに、沈殿槽内でフライトの移動方向に沿って敷設されたガイドレールには、フライトに固定されたシューが摺動し、シューを採用することで、フライトがガイドレールに直接接触することが回避される。このシューは、バネ座金を介在させてボルト及びナットによりフライトに固定されているので、メンテナンス時にボルトを外すことで、シューを適宜交換することができる。
【０００３】
【特許文献１】特開２００３−１１７３１０号公報
【特許文献２】特開平１０−２３０１０４号公報
【発明の開示】
【発明が解決しようとする課題】
【０００４】
しかしながら、前述した従来の汚泥掻寄せ機に適用したＬ字状のシューは、バネ座金、ボルト及びナットによりフライトに固定され、しかも一個のフライトに対して二組のボルト等を必要とするので、メンテナンス時において一個のシューを外す際に二本のボルトを外す作業を強いられ、作業性が極めて悪い。さらに、ボルト及びナットの腐食やネジ山の潰れが起きている場合、シューの交換作業性が極めて悪くなる。特に、全長が３０ｍ以上にも及ぶ沈殿槽では、１０００本以上のフライトが必要とされ、フライト全てにシューが固定されているので、ボルトの着脱作業は作業者に多大な作業負担を強いることになる。
【０００５】
本発明は、シューの交換を容易にした汚泥掻寄せ機を提供することを目的とする。
【課題を解決するための手段】
【０００６】
本発明に係る汚泥掻寄せ機は、フライトに取り付けられたシューがガイドレールに当接しながら、ガイドレールに沿って沈殿槽内で移動する複数のフライトにより、沈殿槽内の汚泥を掻き寄せる汚泥掻寄せ機において、
フライトに対して着脱自在なシューは、フライトの端部を挟み込むように略平行に延在する一対の側壁と側壁間を連結する連絡壁とで断面Ｕ字状に形成され、シューの各側壁は、フライトに対して凹凸嵌合することを特徴とする。
【０００７】
この汚泥掻寄せ機において、シューを断面Ｕ字状にすることで、シューの連絡壁をガイドレールに接触させることができ、シューの一対の側壁によりフライトの端部を挟み込むことができる。さらに、シューの各側壁をフライトに対して凹凸嵌合させているので、シューをフライトに対して着脱自在にすることができる。
【０００８】
また、シューの各側壁の遊端には、内方に向かって突出する凸部が設けられ、フライトの側面には、フライトの端部から長手方向に沿って延在するガイド溝が設けられていると好適である。この場合、フライトの端部からガイド溝内にシューの凸部を滑り込ませることにより、シューをフライトに簡単に装着することができ、しかも、フライトの長手方向に対して直交する方向へシューの移動が規制される。また、メンテナンス時に、摩耗したシューをガイド溝に沿って引き抜いて、新しいシューを簡単に差し込むことができる。このように、シューに凸部を設け、フライトの端部から延在するガイド溝を設けると、シューの抜き差しを容易にし、シューの交換作業が極めて簡単になり、作業負担の軽減やシューの交換時間の短縮を図ることができる。
【０００９】
また、フライトの側面に設けられた孔部内に差し込まれる移動規制ピンを更に備え、移動規制ピンは、シューの端面に当接すると好適である。この移動規制ピンは、シューがガイド溝に沿って移動することを規制するものであり、ガイド溝に沿ってシューが摺動し易い場合に適している。
【発明の効果】
【００１０】
本発明によれば、シューの交換作業を容易に行うことができる。
【発明を実施するための最良の形態】
【００１１】
以下、図面を参照しつつ本発明に係る汚泥掻寄せ機の好適な実施形態について詳細に説明する。
【００１２】
図１及び図２に示すように、汚泥掻寄せ機１は、大型(略３０ｍ×４０ｍ)のコンクリート製沈殿槽２の底面に沈殿した汚泥を掻き寄せ、沈殿槽２の水面に浮上した浮遊物を掻き寄せるためのものであり、沈殿槽２に設置して利用される。このような汚泥掻寄せ機１は、沈殿槽２内で循環するフライト付チェーンコンベア３を有している。
【００１３】
このチェーンコンベア３は、サイクロ減速機４によって回転する駆動スプロケット５ａに噛み合わされる２本の無端チェーン４と、チェーン４間を架け渡して固定されると共に長手方向で等間隔に配列された多数の木製フライト６からなる。各フライト６は、直方体で長尺状をなすと共に、ブラケット７を介してチェーン４に固定されてチェーン４から外方に突出する。また、チェーン４は、従動スプロケット５ｂ，５ｃ，５ｄによって沈殿槽２内で張設されている。
【００１４】
さらに、沈殿槽２の底面２ａには、左右一対の池底ガイドレール(第1のガイドレール)８が埋設され、沈殿槽２の上部には、長手方向に延在する左右一対の水平リターンレール(第２のガイドレール)９と、長手方向に延在する左右一対の傾斜リターンレール(第３のガイドレール)１０とが敷設されている。そして、フライト６には、池底ガイドレール８に沿って摺動する左右一対の第1のシュー１１と、水平リターンレール９及び傾斜リターンレール１０に沿って摺動する左右一対の第２のシュー１２とが着脱自在に取り付けられている。
【００１５】
さらに、沈殿槽２の底面２ａには、フライト６によって掻き寄せられた汚泥等の沈澱物を、一旦滞留させておくためのホッパー部１４が設けられている。また、沈殿槽２の上部には、フライト６によって掻き寄せられた浮遊物を除去するためのスカム除去装置１５が装備されている。そして、流入溝１６から沈殿槽２内に流れ込んだ下水は、沈殿槽２内で沈殿物と浮遊物に分離され、沈殿物は、ホッパー部１４から排水パイプを介して排出され、浮遊物はスカム除去装置１５によって排出され、沈殿槽２内で浄化された上澄水は流出溝１７に取り込まれて排出される。
【００１６】
次に、前述したフライト６に対して着脱自在な第１及び第２のシュー１１，１２について詳細に説明する。
【００１７】
図３及び図４に示すように、第１のシュー１１は、フライト６の長辺側の外端部６Ａを挟み込むように略平行に延在する一対の側壁２０，２１と、側壁２０と側壁２１とを連結して側壁２０，２１に対して直交して延在する連絡壁２２とで断面Ｕ字状に形成されている。そして、第１のシュー１１の各側壁２０，２１をフライト６の両側面６ａに対して凹凸嵌合させることで、フライト６に対して第１のシュー１１を着脱自在にすることができる。
【００１８】
第１のシュー１１の各側壁２０，２１の遊端には、内方に向かって突出する凸部２０ａ，２１ａが設けられ、各凸部２０ａ，２１ａは、側壁２０，２１に対して直交して張り出すと共に、第１のシュー１１の全長に渡って延在する。
【００１９】
これに対し、フライト６の両側面６ａには、フライト６の短辺側の端部６Ｂから長手方向に沿って延在する左右一対のガイド溝２４が設けられている。そして、各凸部２０ａ，２１ａとガイド溝２４は、ガイド溝２４にシュー１１の凸部２０ａ，２１ａを滑り込ませた際にガタツキが無い寸法で形成されている。なお、第１のシュー１１の連絡壁２２の端部には、外方に向かって突出して案内に寄与する鍔部２２ａが形成され、この鍔部２２ａは第１のシュー１１の全幅に渡って延在する。
【００２０】
このような構成の凹凸嵌合を採用すると、各ガイド溝２４にシュー１１の凸部２０ａ，２１ａをフライト６の端部６Ｂから滑り込ませることにより、シュー１１をフライト６に簡単に装着することができ、しかも、一対の凸部２０ａ，２１ａが一対のガイド溝２４内に嵌り込むことで、フライト６の長手方向に対して直交する方向へシュー１１の移動が規制される。そして、メンテナンス時に、摩耗したシュー１１をガイド溝２４に沿って引き抜いて、新品のシュー１１を簡単に差し込むことができる。このように、シュー１１の抜き差しが容易になり、シュー１１の交換作業が極めて簡単になり、作業負担の軽減やシュー１１の交換時間の短縮を図ることができる。
【００２１】
さらに、図３及び図５に示すように、フライト６の側面６ａに設けられたガイド溝２４の底面には、移動規制ピン２５が圧入される孔部２６が形成されている。この孔部２６に移動規制ピン２５が圧入されると、移動規制ピン２５は、シュー１１の後端面(差込み方向から見て後端側の面)１１ａにおける凸部２０ａ,２１ａの端部に当接する(図２参照)。従って、ガイド溝２４の後端２４ａと移動規制ピン２５とによって、シュー１１の凸部２０ａ，２１ａが挟み込まれるので、シュー１１は、ガイド溝２４に沿ってフライト６の端部６Ｂ側へ移動することが規制される。
【００２２】
なお、孔部２６の場所は、フライト６の側面６ａにおいてシュー１１の後端面１１ａと当接する位置であれば所期の目的を達成することができる。
【００２３】
このような移動規制ピン２５の採用は、ガイド溝２４に沿ってシュー１１が摺動し易い場合に適している。また、移動規制ピン２５には、抜き取りや打ち込みを考慮したヘッド部２５ａが設けられ、このヘッド部２５ａの形状は、一文字に限らず、十文字、円板などが可能である。また、移動規制ピン２５は、Ｔ字状に限定されず、Ｊ字状であってもよい。
【００２４】
なお、シュー１１を樹脂やバネ鋼などの弾性材料で成形した場合、シュー１１がフライト６をしっかりと挟み込むので、シュー１１が横ズレを起こし難くなる。従って、移動規制ピン２５を必要とせず、シュー１１の交換作業性をより向上させることができ、作業時間の短縮、部品点数の削減、コストダウンを図ることができる。なお、シュー１１の連絡壁２２の両端において、案内に寄与する平行な２本の鍔部２２ａを設けると、シュー１１の装着方向性を考慮せずに、交換作業を行うことができる。
【００２５】
また、図３に示すように、フライト６の長辺側の内端部６Ｃに装着される第２のシュー１２については、第１のシュー１１と同一部品であるので、部品の共有化が図られている。また、フライト６の側面６ａには、シュー１２の凸部２０ａ，２１ａが差し込まれるガイド溝２７が形成されている。このガイド溝２７の底部には、移動規制ピン２５が圧入される孔部２９が形成されている。
【００２６】
本発明は、前述した実施形態に限定されないことは言うまでもない。例えば、図６に示すように、変形例に係るシュー３３の各側壁３０，３１の遊端には、内方に向かって突出する凸部３０ａ，３１ａが設けられ、各凸部３０ａ，３１ａは、側壁３０，３１に対して直交すると共に、側壁３０,３１の上端中央で突出する。なお、シュー３３の連絡壁３２の両端には、外方に向かって突出して案内に寄与する平行な２本の鍔部３２ａ,３２ａが形成され、各鍔部３２ａはシュー３３の全幅に渡って延在する。
【００２７】
さらに、フライト３６の両側面３６ａには、凸部３０ａ，３１ａが嵌合する嵌着穴３７が形成されている。そこで、凸部３０ａ，３１ａと各嵌着穴３７とを凹凸嵌合させると、凸部３０ａ，３１ａが嵌着穴３７にガタツキに無い状態で嵌め込まれる。シュー３３の装着時にシュー３３の各側壁３０，３１を押し広げる必要があるので、シュー３０は、弾性を有する材料で形成される。なお、凸部３０ａ，３１ａ及び嵌着穴３７の形状は円柱状であってもよい。
【００２８】
図７に示すように、フライト４０に設けられたガイド溝２４，２７の底面には、フライト４０の側面４０ａ間を貫通する孔部４１が形成されている。この孔部４１の一端側から金属製の移動規制ピン４２が挿入され、孔部４１の他端側から突き出した移動規制ピン４２の端部は折り曲げられる。これによって、シューの交換作業性が極めて良好になる。
【００２９】
ここで、前述したフライト６，３６，４０の適用可能な材質としては、合成樹脂(ＦＲＰなど)、合成木材(ＦＲＵ，ＦＦＵなど)、米桧などがある。また、シュー１１,１２,３３の適用可能な材質としては、ＦＣＤ６００、ＦＣＤ５００、ＦＣＤ４５０、ＦＣ２５０，ＦＣ２００、ＳＣＳ２(ＳＵＳ４０３相当)、ＳＣＳ１３(ＳＵＳ３０４相当)、ＦＰＲ(合成樹脂)、チタン、超高分子ポリエチレン、高密度ポリエチレン、フッ素樹脂、ＭＣナイロンなどがある。
【００３０】
また、本実施形態では、チューンコンベアによる循環式としているが、本発明はこれに限定されず、例えば、フライトを往復動させて沈殿槽の底面に沈殿した汚泥を掻き寄せる往復動式にも適用可能である。
【図面の簡単な説明】
【００３１】
【図１】本発明に係る汚泥掻寄せ機の一実施形態を示す側面図である。
【図２】図１の要部拡大正面図である。
【図３】フライト及びシューを示す分解斜視図である。
【図４】フライトにシューを装着した状態を示す断面図である。
【図５】移動規制ピンを孔部に圧入した状態を示す断面図である。
【図６】変形例に係るフライト及びシューを示す分解斜視図である。
【図７】他の変形例に係るフライトを示す分解斜視図である。
【符号の説明】
【００３２】
１…汚泥掻寄せ機、２…沈殿槽、６,３６，４０…フライト、６ａ，３６ａ，４０ａ…フライトの側面、８，９，１０…ガイドレール、１１，１２，３３…シュー、１１ａ…シューの端面、２０，２１，３０，３１…シューの側壁、２０ａ，２１ａ，３０ａ，３１ａ…凸部、２２，３２…連絡壁、２４，２７…ガイド溝、２５，４２…移動規制ピン、２６，２９，４１…孔部。
【図１】
2008168198.tif 000003
【図２】
2008168198.tif 000004
【図３】
2008168198.tif 000005
【図４】
2008168198.tif 000006
【図５】
2008168198.tif 000007
【図６】
2008168198.tif 000008
【図７】
2008168198.tif 000009